(57)【要約】    【課題】乗車券に乗り換え経路を簡便な図形で表示することにより、特に高齢者や地理に不案内な乗客向けに、乗り換え駅名と目的駅名とそれらの路線名の表示、および乗車駅と乗り換え駅と目的駅の間の距離の比の図形による表示がなされた乗車券とその発券装置を提供する。      【解決手段】文字入力を行うためのタッチパネル付き表示装置１と、このタッチパネル付き表示装置１での文字入力により目的駅名を確定し、その目的駅、その目的駅までの経路と、乗り換え駅の情報を表示可能にし、乗り換え経路が複数ある場合には、この乗り換え経路情報を選択して乗り換え経路を確定し、編集を行う制御装置５とプリンタ７とを備え、乗り換え駅名と目的駅名とそれらの路線名の表示部、および乗車駅と乗り換え駅と目的駅間の距離の比を図形によって表示する表示部を有する乗車券を発券する。【選択図】  図１
2005284736.tif 000002
【特許請求の範囲】
【請求項１】
乗り換え駅名と目的駅名とそれらの路線名の表示部、および乗車駅と乗り換え駅と目的駅間の距離の比を図形によって表示する表示部を有することを特徴とする乗車券。
【請求項２】
請求項１記載の乗車券であって、乗り換え駅名、目的駅名およびそれらの路線名を他の情報に比べて大文字で表示したことを特徴とする乗車券。
【請求項３】
（ａ）文字入力を行うためのタッチパネル付き表示装置と、
（ｂ）該タッチパネル付き表示装置での文字入力により目的駅名を確定し、該目的駅、該目的駅までの経路と乗り換え駅の情報を表示可能にし、乗り換え経路が複数ある場合には該乗り換え経路情報を選択して乗り換え経路を確定し、編集を行う制御装置とプリンターとを備え、
（ｃ）乗り換え駅名と目的駅名とそれらの路線名の表示部、および乗車駅と乗り換え駅と目的駅間の距離の比を図形によって表示する表示部を有する乗車券を発券することを特徴とする発券装置。
【請求項４】
請求項３記載の発券装置において、乗り換え駅名、目的駅名およびそれらの路線名を他の情報に比べて大文字で印字することを特徴とする発券装置。
【発明の詳細な説明】
【技術分野】
【０００１】
本発明は、鉄道や車両などの乗車券とその発券装置に関するものである。
【背景技術】
【０００２】
従来、利用者が目的とする駅の正式名称を正しく覚えていなくても、自動券売機によって容易に乗車券を購入できるようにしている（下記特許文献１参照）。
【０００３】
図８は従来の自動券売機の全体斜視図である。
【０００４】
この図において、自動券売機１１０は、接客側に案内表示部１１１、表示操作部１１２、硬貨投入口１１３、硬貨受け皿１１４、紙幣挿入口１１５、返却紙幣受取口１１６、カード挿入口１１７、乗車券受取口１１８、テンキー１１９を備えている。
【０００５】
また、タッチパネル式の券売機の中には、画面に表示された５０音のボタンを押すことによって、目的地の駅名を直接入力して乗車券を購入することができるものがある（下記特許文献２参照）。
【特許文献１】特開２００３−２９６７６２号公報
【特許文献２】特開２００２−０６３６０５号公報
【発明の開示】
【発明が解決しようとする課題】
【０００６】
しかしながら、連絡乗車券などの一部の乗車券を除いて、現在の乗車券の多くは、券面に乗り換え経路情報の記載がなく、不慣れな利用者には乗り換えの不安がある。
【０００７】
また、乗車券には通常、乗車駅名、目的駅名、発券年月日、料金などは文字で表示されているのが通常であるが、それらの文字の大きさには大小があって、概ね文字が小さいのが現状であり、高齢者などにとっては、現在の乗車券情報では乗り換え駅名、目的駅名およびそれらの路線名の判読がし難く、見誤り易いといった問題があった。
【０００８】
そこで、本発明は、上記状況に鑑みて、乗車券に乗り換え経路を簡便な図形で表示することにより、特に高齢者や地理に不案内な乗客向けに、乗り換え駅名と目的駅名とそれらの路線名の表示、および乗車駅と乗り換え駅と目的駅の間の距離の比の図形による表示がなされた乗車券とその発券装置を提供することを目的とする。
【課題を解決するための手段】
【０００９】
本発明は、上記目的を達成するために、
〔１〕乗車券において、乗り換え駅名と目的駅名とそれらの路線名の表示部、および乗車駅と乗り換え駅と目的駅間の距離の比を図形によって表示する表示部を有することを特徴とする。
【００１０】
〔２〕上記〔１〕記載の乗車券であって、乗り換え駅名、目的駅名およびそれらの路線名を他の情報に比べて大文字で表示したことを特徴とする。
【００１１】
〔３〕発券装置において、文字入力を行うためのタッチパネル付き表示装置と、このタッチパネル付き表示装置での文字入力により目的駅名を確定し、その目的駅、その目的駅までの経路と、乗り換え駅の情報を表示可能にし、乗り換え経路が複数ある場合には、この乗り換え経路情報を選択して乗り換え経路を確定し、編集を行う制御装置とを備え、乗り換え駅名と目的駅名とそれらの路線名の表示部、および乗車駅と乗り換え駅と目的駅間の距離の比を図形によって表示する表示部を有する乗車券を発券することを特徴とする。
【００１２】
〔４〕上記〔３〕記載の発券装置において、乗り換え駅名、目的駅名およびそれらの路線名を他の情報に比べて大文字で印字することを特徴とする。
【発明の効果】
【００１３】
本発明によれば、乗り換え駅名、目的駅名およびそれらの路線名の判読が容易で、乗り換え駅名、目的駅名およびそれらの路線名を的確に把握することができる。
【００１４】
すなわち、本発明の発券装置は、タッチパネル付き表示装置での文字入力により目的駅名を直接指定するため、それに伴って自動的に経路も決定される（複数の経路がある場合は選択画面で選択する）。また、このとき決定された経路情報を券面に印字することができる。したがって、乗り換え経路情報に不案内な人であっても、手元にその経路情報を有することになるので、鉄道利用における不安要因を減少させることが期待できる。
【発明を実施するための最良の形態】
【００１５】
文字入力を行うためのタッチパネル付き表示装置と、このタッチパネル付き表示装置での文字入力により目的駅名を確定し、その目的駅、その目的駅までの経路と乗り換え駅の情報を表示し、乗り換え経路が複数ある場合にはこの乗り換え経路情報を選択して乗り換え経路を確定し、編集を行う制御装置とプリンターとを備え、乗り換え駅名と目的駅名とそれらの路線名の表示部、および乗車駅と乗り換え駅と目的駅間の距離の比を図形によって表示する表示部を有する乗車券を発券する。よって、乗り換え駅、目的駅名およびそれらの路線名を的確に把握することができる。
【実施例】
【００１６】
以下、本発明の実施の形態について詳細に説明する。
【００１７】
図１は本発明の実施例を示す発券装置のブロック図である。
【００１８】
この図において、１はタッチパネル付き表示装置、２は料金入力部、３は発券取り出し部、４は釣銭取り出し部、５は制御装置、６は制御装置５内の乗り換え経路図形・駅名・文字大きさの編集部、７はプリンターである。
【００１９】
図２は図１の発券装置によって発券するためのタッチパネル付き表示装置の操作の説明図であり、その発券装置のタッチパネル付き表示装置による、発券のための入力手順を示している。また、図３はその発券装置によって発券される乗車券の例を示す図である。なお、本発明にかかる乗車のサイズは定期券のサイズ（例えば、８２×５７ｍｍ）とする。
【００２０】
まず、図２（ａ）に示すタッチパネル付き表示装置１の右下の５０音検索ボタン１１を押すと、図２（ｂ）に示すように、５０音画面が表示される。そこで、目的駅名（例えば、「高田馬場」）を、図２（ｃ）に示すように５０音画面により入力していくと、図２（ｄ）に示すように、目的駅名候補の検索が開始され、図２（ｅ）に示すように、目的駅名の候補が表示される。その候補の中から目的駅名にタッチすると、図２（ｆ）に示すように、乗車料金が表示され、その料金を支払うと、編集部６で乗り換え経路図形・駅名・文字の大きさの編集が行われ、乗車券が発券される。
【００２１】
例えば、図３に示すように、乗り換え経路を示す図形２１が表示された乗車券２０が発券される。この乗り換え経路を示す図形２１は矢印先端を有する図形で、乗車駅から乗り換え駅、目的駅までの経路とそれらの駅間の距離の比を誰にでも分かりやすく端的に表現したものである。
【００２２】
この乗り換え経路を示す図形２１の上端に乗車駅名、下端に目的駅名２３を示し、太線の矢印先端が乗り換え、各太線の長さが全行程に対する表示駅間の距離の比を意味しており、乗り換え駅名がその右側に表示されている。この乗り換え経路を示す図形２１に対応して表示される各駅名、特に、乗り換え駅名２２、目的駅名２３およびそれらの路線名は、制御装置５からの指令で乗り換え経路図形・駅名・文字大きさの編集部６で大文字になるように編集され、プリンター７によって他の表示文字より大きく印字される。
【００２３】
例えば、図３の乗車券２０において、乗り換え駅名「新宿」の文字の大きさは、乗車駅名「国立」の１．５倍、目的駅名「高田馬場」の文字の大きさは乗車駅名「国立」の２倍の大きさで印字されている。その理由は、そもそも乗車券は乗車駅で乗車してしまったら「乗り換え駅」、「目的駅」およびそれらの「路線名」が最も重要、かつ必要な情報であり、その他の乗車駅名や料金、年月日情報などの情報は、その必要度が下がるからである。
【００２４】
そこで、「乗り換え駅名」、「目的駅名」およびそれらの「路線名」をその他の情報より大きく印字し、また乗り換え経路を示す図形２１を併せて表示することで、乗り換え駅名、目的駅名およびそれらの路線名を容易に認識できるようにする。
【００２５】
図４および図５は、例えばＪＲから他社の鉄道への乗り換え乗車券の場合であり、図４では、ＪＲから営団地下鉄への乗り換えを表示している。図４において、３１は乗り換え経路を示す図形、３２は乗り換え駅名、３３は目的駅名を示している。
【００２６】
さらに、図５において、４１は乗り換え経路を示す図形、４２は第１の乗り換え駅名、４３は第２の乗り換え駅名、４４は第３の乗り換え駅名、４５は目的駅名を示している。
【００２７】
図５に示すように、多くの路線間での乗り換えを表示する乗り換え乗車券の場合も、その乗り換え経路が図形で表示され、しかも乗り換え駅名と路線名が大きく印字されているので、乗り換え経路情報に不案内な人であっても、手元の乗車券に乗り換え経路情報を有することになるので、鉄道利用における不安要因を減少させることができる。
【００２８】
また、上記したような、乗り換え駅名、目的駅名およびそれらの路線名が大きく印字された乗車券を、例えば、図６に示すように、透明ケース入りの乗車券５１として首にかけて利用することができる。これにより、車掌や周囲の乗客がその透明ケース入りの乗車券５１を容易に見ることができるため、例えば、利用者が高齢者や年少者で、目的駅を乗り過ごしそうな場合には、目的駅での降車を促すことができる。つまり、高齢者、年少者や地理に不案内な利用者などに親切な利用ができる。
【００２９】
また、発券装置のタッチパネル付き表示装置１には、図２（ａ）に示すように、英語による案内表示用のＥｎｇｌｉｓｈのボタン１３が配置されており、そのＥｎｇｌｉｓｈのボタン１３を押すと、タッチパネル付き表示装置１には英語による案内とともにアルファベットが表示される。それを操作して、駅名をローマ字入力することにより、例えば、図７に示すように、乗り換え経路を示す図形６１と、英語による乗り換え駅名６２と、英語による目的駅名６３などが表示された乗車券を発券することができる。
【００３０】
この場合にも、乗り換え経路を示す図形６１と乗り換え駅名６２、目的駅名６３およびそれらの路線名は他の文字に比べて大きく印字される。
【００３１】
このように構成したので、乗り換え駅や目的駅を明確に認識することができ、特に、高齢者、年少者や地理に不案内な乗客に親切な乗車券と発券装置を提供することができる。
【００３２】
また、本発明の乗車券は以下のような利点を有する。
【００３３】
（１）イオカード、Ｓｕｉｃａ、パスネットなどを利用して直接改札を通過する場合は、上記したような情報を提供することはできないが、これらのカードの利用者は、鉄道を頻繁に利用している場合が多く、乗り換え情報も有している場合が多いので適用外とする。鉄道利用頻度が少ない人が乗車券を購入すると考えれば、乗車券の券面に乗り換え情報を印刷する利点は極めて大きく、上記カードの利用者も、不慣れな場所では乗車券を購入することにより、乗り換え情報を手元に有することができる。
【００３４】
（２）現在最も多く採用されている、エドモンソン券と呼ばれる縦３ｃｍ×横５．７５ｃｍの切符は、サイズが小さいため、紛失したりすることが少なくない。本発明のように乗車券を定期券と同じ大きさ（例えば、８２×５７ｍｍ）にすることで、その紛失の可能性を小さくすることができる。また、定期券と同じ大きさであれば、自動改札機での読み取りについても問題は生じない。
【００３５】
（３）乗車券の大きさを大きくすることで、券面に記載できる情報量を増やし、なおかつ券面に印刷された情報の視認性を向上させることができる。
【００３６】
なお、本発明は上記実施例に限定されるものではなく、本発明の趣旨に基づき種々の変形が可能であり、これらを本発明の範囲から排除するものではない。
【産業上の利用可能性】
【００３７】
本発明の乗車券とその発券装置は、乗り換え駅名や目的駅名、それらの路線名を明確に認識することができ、特に、乗り換え経路情報に不案内な利用者、高齢者や年少者に親切な乗車券と発券装置として好適である。
【図面の簡単な説明】
【００３８】
【図１】本発明の実施例を示す発券装置のブロック図である。
【図２】本発明の発券装置によって発券するためのタッチパネル付き表示装置の操作の説明図である。
【図３】本発明の発券装置によって発券される乗車券の例を示す図である。
【図４】本発明の発券装置によって発券されるＪＲから他社の鉄道への乗り換え乗車券の例を示す図である。
【図５】多くの路線間での乗り換えを表示する乗り換え乗車券の例を示す図である。
【図６】本発明の乗車券を透明ケースに入れて利用した状態を示す図である。
【図７】本発明の英語表示の乗車券の例を示す図である。
【図８】従来の自動券売機の全体斜視図である。
【符号の説明】
【００３９】
１    タッチパネル付き表示装置
２    料金入力部
３    発券取り出し部
４    釣銭取り出し部
５    制御装置
６    乗り換え系統図形・駅名・文字大きさの編集部
７    プリンター
１１    ５０音検索ボタン
１２    路線検索ボタン
１３    Ｅｎｇｌｉｓｈのボタン
２０    発券される乗車券
２１，３１，４１，６１    乗り換え経路を示す図形
２２，３２，６２    乗り換え駅名
２３，３３，４５，６３    目的駅名
４２    第１の乗り換え駅名
４３    第２の乗り換え駅名
４４    第３の乗り換え駅名
５１    透明ケース入りの乗車券
【図１】
2005284736.tif 000003
【図２】
2005284736.tif 000004
【図３】
2005284736.tif 000005
【図４】
2005284736.tif 000006
【図５】
2005284736.tif 000007
【図６】
2005284736.tif 000008
【図７】
2005284736.tif 000009
【図８】
2005284736.tif 000010